(57)【要約】【課題】設備用孔が水平に貫通形成された鉄筋コンクリート梁部の補強の施工性を向上でき、また、地震の際の損傷度合を軽減する上で有利な設備用孔を有するハイブリッド梁の補強構造を提供すること。【解決手段】設備用孔補強部２２はメッシュ筋２４を含んで構成されている。メッシュ筋２４は、両側の側面部２４０２と上面部２４０４と下面部２４０６とを有している。両側の側面部２４０２には、設備用孔２０に合致する孔２４１０が形成されている。両側の側面部２４０２は上下の梁主筋１４と、上下に延在する横補強筋１６の部分との間で挟持されて配設されている。上面部２４０４と下面部２４０６は、上下の梁主筋１４と、水平に延在する上下の横補強筋１６の部分との間でそれぞれ挟持されて配置されている。【選択図】図１
2015190101.tif 000002
【特許請求の範囲】
【請求項１】
対向する柱間に架け渡された鉄骨の両端部を鉄筋コンクリートで覆い、前記鉄骨の中央部を鉄骨梁部とし、両端部を鉄筋コンクリート梁部とし、前記鉄筋コンクリート梁部は複数の梁主筋とそれら梁主筋を囲む複数の横補強筋とを備えるハイブリッド梁であって、
前記鉄筋コンクリート梁部の両側面を貫通する設備用孔が形成され、
前記設備用孔の周辺の前記鉄筋コンクリート梁部の箇所を補強する設備用孔補強部が設けられ、
前記設備用孔補強部は、前記設備用孔の周辺を含む前記鉄筋コンクリート梁部の箇所の少なくとも両側面の近傍の内部でそれら側面に平行する両側の側面部を有するメッシュ筋を含んで構成されている、
ことを特徴とする設備用孔を有するハイブリッド梁の補強構造。
【請求項２】
前記両側の側面部は、鉄筋コンクリート梁部の上下方向の両端に位置する前記梁主筋間に延在する高さを有している、
ことを特徴とする請求項１記載の設備用孔を有するハイブリッド梁の補強構造。
【請求項３】
前記両側の側面部には、前記設備用孔に合致する孔が形成されている、
ことを特徴とする請求項１または２記載の設備用孔を有するハイブリッド梁の補強構造。
【請求項４】
前記メッシュ筋は、前記設備用孔の周辺を含む前記鉄筋コンクリート梁部の箇所の上面および／または下面の近傍の内部でそれら上面および／または下面に平行する上面部および／または下面部を有している、
ことを特徴とする請求項１〜３の何れか１項記載の設備用孔を有するハイブリッド梁の補強構造。
【請求項５】
前記上面部および／または下面部は、鉄筋コンクリート梁部の幅方向の両端に位置する前記梁主筋間に延在する幅を有している、
ことを特徴とする請求項４記載の設備用孔を有するハイブリッド梁の補強構造。
【請求項６】
前記メッシュ筋は、前記梁主筋と前記横補強筋とで挟持されて配設されている、
ことを特徴とする請求項１〜５の何れか１項記載の設備用孔を有するハイブリッド梁の補強構造。
【発明の詳細な説明】
【技術分野】
【０００１】
本発明は、端部が鉄筋コンクリート造で中央が鉄骨造のハイブリッド梁（複合梁）に関する。
【背景技術】
【０００２】
近年、建物の一部または全部を大スパン化する、建物の梁躯体として、鉄筋コンクリート（ＲＣ）と鉄骨（Ｓ）造とで構成された複合構造の梁（以下、複合梁またはハイブリッド梁とも称する）が採用されてきている。このような構造の梁は、両端部をＲＣで覆った鉄骨が、ＲＣ造等の柱間に架け渡されて接合されたものである。以下、ハイブリッド梁のうち、Ｓ造である中央部を鉄骨梁部、ＲＣで覆われた両端部を鉄筋コンクリート梁部（ＲＣ梁部）と称する。
ハイブリッド梁の鉄筋コンクリート梁部においては、一般的に複数の梁主筋と、それら複数の梁主筋および鉄骨の周囲を囲む複数の横補強筋とが配筋され、鉄筋コンクリート梁部全体に渡り埋設されている。この横補強筋は、鉄筋コンクリート梁部の柱側の端部及び鉄骨梁部側の端部の配筋を密にした集中補強筋も含んでいる。
ハイブリッド梁は、中央部がＳ造であることから梁自重が軽減され、梁成が減少するために梁のロングスパン化を可能とした建物が得られる新しい構法として注目されている。
【０００３】
一方、ハイブリッド梁において、従来、鉄筋コンクリート梁部に設備用貫通孔を設けた例はない。
ハイブリッド梁の鉄筋コンクリート梁部は一般的なＲＣ造として設計されており、一般的なＲＣ造の梁に貫通孔を設けた場合、貫通孔の補強は、開孔補強筋（リング状のもの）や座屈補強筋（串形もの）などを用いて行われている。
【先行技術文献】
【特許文献】
【０００４】
【特許文献１】特開２００９−２４４６２
【発明の概要】
【発明が解決しようとする課題】
【０００５】
しかしながら、ハイブリッド梁の鉄筋コンクリート梁部を、開孔補強筋（リング状のもの）や座屈補強筋（串形もの）などを用いて補強する場合、開孔補強筋や座屈補強筋などの補強筋が過密となる。
そして、それら補強筋が過密となると、鉄筋コンクリート梁部にはもともと梁主筋と横補強筋が密に配筋されていることから、配筋するのに手間がかかり、施工性が悪くなる。
また、既往の研究例から一般的なＲＣ造の梁の開孔を補強した場合、地震を経験したあとの開孔周りのせん断ひび割れが目立ち、梁の損傷度合いも顕著である。
この発明は以上の点に鑑みてなされたものであり、設備用孔が水平に貫通形成された鉄筋コンクリート梁部の補強の施工性を向上でき、また、地震の際の損傷度合を軽減する上で有利な設備用孔を有するハイブリッド梁の補強構造を提供することにある。
【課題を解決するための手段】
【０００６】
上述した目的を達成するため本発明は、対向する柱間に架け渡された鉄骨の両端部を鉄筋コンクリートで覆い、前記鉄骨の中央部を鉄骨梁部とし、両端部を鉄筋コンクリート梁部とし、前記鉄筋コンクリート梁部は複数の梁主筋と複数の横補強筋とを備えるハイブリッド梁であって、前記鉄筋コンクリート梁部の両側面を貫通する設備用孔が形成され、前記設備用孔の周辺の前記鉄筋コンクリート梁部の箇所を補強する設備用孔補強部が設けられ、前記設備用孔補強部は、前記設備用孔の周辺を含む前記鉄筋コンクリート梁部の箇所の少なくとも両側面の近傍の内部でそれら側面に平行する両側の側面部を有するメッシュ筋を含んで構成されていることを特徴とする。
【発明の効果】
【０００７】
本発明によれば、メッシュ筋が鉄筋コンクリート梁部の一部を構成するため、鉄筋コンクリート梁部に作用するせん断力の一部をメッシュ筋が負担する。したがって設備用孔周りの鉄筋コンクリート梁部のせん断ひび割れや損傷度合いが改善される。
また、メッシュ筋を用いるため、鉄筋の配筋がもともと過密なハイブリッド梁の鉄筋コンクリート梁部を、開孔補強筋を用いて補強する場合に比べ、簡単に迅速に確実に補強でき、施工性が改善され、工期の短縮化、コストダウンを図る上で有利となる。
また、メッシュ筋で地震のエネルギーを吸収し、地震の際の損傷度合を軽減する上で有利となる。
【図面の簡単な説明】
【０００８】
【図１】設備用孔補強部の正面図である。
【図２】設備用孔補強部の設備用孔部分の断面図である。
【図３】ハイブリッド梁の概略図である。
【図４】ハイブリッド梁の鉄筋コンクリート梁部付近における詳細な図である。
【発明を実施するための形態】
【０００９】
以下、本発明の実施の形態を図示例と共に説明する。
まず、図３、図４を参照して本発明が適用される一般的なハイブリッド梁１０について説明すると、ハイブリット梁１０は、対向する柱１２間に架け渡されたＩ鋼やＨ鋼等の鉄骨Ｓの両端部を鉄筋コンクリートで覆う構造のものである。
鉄骨Ｓの中央部は鉄骨梁部１０Ａとされ、両端部は鉄筋コンクリート梁部１０Ｂとされ、鉄骨Ｓは内法スパン（柱フェースまでの長さ）とし柱１２には貫通されておらず、図１において符号１１Ａはスタッドボルト、符号１１Ｂは床スラブを示している。
【００１０】
鉄筋コンクリート梁部１０Ｂは、あらかじめ工場で製作したプレキャストコンクリート製でもよく、現場打ちコンクリートで製作されてもよい。あるいはハーフプレキャストコンクリート製でもよく、この場合には、コンクリートを現場で後打ちする。コンクリートは、普通コンクリートでも、繊維補強コンクリートでも良い。
鉄筋コンクリート梁部１０Ｂは、複数の梁主筋１４、それら梁主筋１４を囲む複数の横補強筋１６により補強され、梁主筋１４の柱梁接合部への定着は、定着金物あるいは折り曲げ定着により行われる。
また、鉄筋コンクリート梁部１０Ｂの柱１２側の端部と鉄骨梁１０Ａ側の端部に相当する部分においては、特に横補強筋１６の配筋を密に配した集中補強筋１６Ａとしている。このように鉄筋コンクリート梁部１０Ｂの柱１２側の端部と鉄骨梁１０Ａ側の端部に相当する部分に集中補強筋１６Ａを設けることで、鉄筋から鉄筋コンクリート梁部１０Ｂへの応力の伝達が図られている。
【００１１】
図１、図２に示すように、設備用孔２０は、柱梁接合部寄りの鉄筋コンクリート梁部１０Ｂに設けられ、鉄筋コンクリート梁部１０Ｂを水平に貫通している。
そして、設備用孔２０が貫通形成された鉄筋コンクリート梁部１０Ｂの箇所を補強する本発明の設備用孔補強部２２が設けられている。
【００１２】
図１、図２を参照して実施の形態の設備用孔補強部２２について説明する。
設備用孔補強部２２は、設備用孔２０の周辺を含む鉄筋コンクリート梁部１０Ｂの箇所の少なくとも両側面の近傍の内部にメッシュ筋２４を配設したものである。
本実施の形態では、メッシュ筋２４は、鉄筋コンクリート梁部１０Ｂの両側面にそれぞれ平行する両側の側面部２４０２と、それら側面部２４０２の上端を接続し鉄筋コンクリート梁部１０Ｂの上面に平行する上面部２４０４と、それら側面部２４０２の下端を接続し鉄筋コンクリート梁部１０Ｂの下面に平行する下面部２４０６とを有している。
両側の側面部２４０２は、鉄筋コンクリート梁部１０Ｂの上下方向の両端に位置する梁主筋１４間に延在する高さを有している。
また、上面部２４０４と下面部２４０６は、鉄筋コンクリート梁部１０Ｂの幅方向の両端に位置する梁主筋１４間に延在する幅を有している。
両側の側面部２４０２には、設備用孔２０に合致する孔２４１０が形成されている。
メッシュ筋２４は、鉄筋コンクリート梁部１０Ｂの一部を構成し、鉄筋コンクリート梁部１０Ｂに作用するせん断力の一部を負担できるものであればよく、メッシュ筋には、金属や炭素繊維など従来公知の様々な材料が使用可能である。
【００１３】
本実施の形態では、一枚のメッシュ筋２４が複数の梁主筋１４の周りに巻回され、鉄筋コンクリート梁部１０Ｂの両側面では、両側の側面部２４０２が上下の梁主筋１４と、上下に延在する横補強筋１６の部分との間で挟持されて配設されている。
また、鉄筋コンクリート梁部１０Ｂの上下面では、上面部２４０４と下面部２４０６とが、上下の梁主筋１４と、水平に延在する上下の横補強筋１６の部分との間でそれぞれ挟持されて配置されている。
【００１４】
このように設備用孔補強部２２を構成すると、次の効果Ａ〜Ｃが発揮される。
効果Ａ：メッシュ筋２４が鉄筋コンクリート梁部１０Ｂに一体化し、メッシュ筋２４が鉄筋コンクリート梁部１０Ｂの一部を構成するため、鉄筋コンクリート梁部１０Ｂに作用するせん断力の一部をメッシュ筋２４が負担する。したがって設備用孔２０周りの鉄筋コンクリート梁部１０Ｂのせん断ひび割れや損傷度合いが改善される。
効果Ｂ：メッシュ筋２４を用い、かつ、このメッシュ筋２４を梁主筋１４と横補強筋１６を利用して配設するため、鉄筋の配筋がもともと過密なハイブリッド梁１０の鉄筋コンクリート梁部１０Ｂを、開孔補強筋を用いて補強する場合に比べ、簡単に迅速に確実に補強でき、施工性が改善され、工期の短縮化、コストダウンを図る上で有利となる。
効果Ｃ：メッシュ筋２４で地震のエネルギーを吸収でき、地震の際の損傷度合を軽減する上で有利となる。
【００１５】
なお、鉄筋コンクリート梁部１０Ｂに作用するせん断力の多くを負担する鉄筋コンクリート梁部１０Ｂの箇所の両側面の近傍の内部のみにメッシュ筋２４を配設して設備用孔補強部２２を構成してもよい。この場合、メッシュ筋２４は側面部２４０２のみを有し、かつ、上下一対の梁主筋１４に対して一枚ずつ貼着される。ただし、実施の形態のようにメッシュ筋２４を鉄筋コンクリート梁部１０Ｂ箇所の全周に配設すると、前記効果Ａ〜Ｃを発揮させる上でより有利となる。
また、メッシュ筋２４に孔２４１０を形成せず、鉄筋コンクリート梁部１０Ｂの箇所の両側面で設備用孔２０の上下左右に複数のメッシュ筋２４を配設して設備用孔補強部２２を構成してもよいが、実施の形態のように構成すると、施工性を改善し、工期の短縮化、コストダウンを図る上でより有利となる。
【符号の説明】
【００１６】
１０……ハイブリッド梁
１０Ａ……鉄骨梁部
１０Ｂ……鉄筋コンクリート梁部
１４……梁主筋
１６……横補強筋
２０……設備用孔
２２……設備用孔補強部
２４……メッシュ筋
２４０２……側面部
２４０４……上面部
２４０６……下面部
【図１】
2015190101.tif 000003
【図２】
2015190101.tif 000004
【図３】
2015190101.tif 000005
【図４】
2015190101.tif 000006